(57)【要約】  例えば衣服である布地を止着する、胴部（１０）を含むボタン（１）であって、胴部（１０）の中央（５）部分には、例えば縫合によりボタン（１）を布地に取り付けるよう構成された装着手段（２）が設けられ、ボタン（１）の胴部（１０）が、胴部（１０）の下面（１３）の平面に平行方向で見た場合にテーパ付けされた幅部分（ｗ）を有し、ボタン（１）には、胴部（１０）の周縁部（１１）あるいはその付近に装着手段（３）が更に設けられ、胴部（１０）の幅部分（ｗ）が周縁部（１１）あるいはその付近の装着手段（３）の位置（６）の方向にテーパ付けされるボタンが提供される。
2016518210.tif 000002
【特許請求の範囲】
【請求項１】
例えば衣服である布地を止着するための、胴部（１０）を含むボタン（１）であって、
例えば縫合によりボタン（１）を布地に取り付ける構成を有する装着手段（２）が前記胴部（１０）の中央位置（５）に設けられ、
前記ボタン（１）の胴部（１０）が、前記胴部（１０）の下面（１３）の平面と平行方向で見た場合に傾斜する幅部分（ｗ）を有し、
前記ボタン（１）の、前記胴部（１０）の周縁部（１１）あるいはその付近に装着手段（３）が更に設けられ、前記胴部（１０）の前記幅部分（ｗ）が前記周縁部（１１）あるいはその付近で前記装着手段（３）の位置（６）に向けてテーパ付けされることを特徴とするボタン。
【請求項２】
ボタン（１）の、前記周縁部（１１）あるいはその付近の単一の位置（６）に装着手段（３）が設けられる請求項１に記載のボタン。
【請求項３】
ボタン（１）の胴部（１０）が、前記胴部（１０）の下面（１３）の平面に直交する方向から見た場合に周縁部（１１）あるいはその付近の装着手段（３）の位置（６）の方向に傾斜する高さ（ｈ）を有する請求項１又は２に記載のボタン。
【請求項４】
ボタン（１）が胴部（１０）の長さ（ｌ）の少なくとも半分、好ましくは半分以上に沿ってテーパ付けされ、前記長さ（ｌ）が、胴部（１０）の周縁部（１１）及び中心（５）あるいはその付近の装着手段（３）を貫いて伸延するライン（１００）に沿って測定された長さである請求項１、２又は３に記載のボタン。
【請求項５】
胴部（１０）が、実質的に直線状又は平面上にテーパ付けされる請求項１〜４の何れかに記載のボタン。
【請求項６】
周縁部（１１）あるいはその付近の装着手段（３）が、ボタン（１）の胴部（１０）の上面（１２）及び下面（１３）間を伸延する少なくとも１つの貫通孔を含む請求項１〜５の何れかに記載のボタン。
【請求項７】
胴部（１０）の、周縁部（１１）あるいはその付近に単一の貫通孔が設けられる請求項６に記載のボタン。
【請求項８】
胴部（１０）の、貫通孔付近の周縁部（１１）に、上面（１２）及び下面（１３）間を伸延する凹所（８）を含む請求項７に記載のボタン。
【請求項９】
周縁部（１１）あるいはその付近の装着手段（３）が、胴部を貫いて伸延する２つの端部（３ａ、３ｂ）を有する通路を含み、前記２つの端部（３ａ、３ｂ）が、胴部（１０）の下面（１３）及び又は周縁部（１１）位置に位置付けられる請求項１〜５の何れかに記載のボタン。
【請求項１０】
ライン（１００）に直交する断面で見た場合に、胴部（１０）の周縁部（１１）あるいはその付近及び中心（５）を装着手段（３）が貫いて伸延され、前記胴部（１０）が、上
面（１２）及び下面（１３）の一方から他方の側縁部方向に高さが減少する状態下に伸延される傾斜面（１２ａ、１３ａ）を有する請求項１〜９の何れかに記載のボタン。
【請求項１１】
前記胴部が、第１表面（１３）から第２表面（１２）の側縁部方向へと、高さが減少する状態下に伸延する第１傾斜面（１３ａ）と、第２表面（１２）、第１表面（１３）の対向する周縁部方向へと、高さが減少する状態下に伸延する第２傾斜面（１２ａ）とを有する請求項１０に記載のボタン。
【請求項１２】
断面で見た場合に前記第１傾斜面（１３ａ）及び第２傾斜面（１２ａ）が、他方の表面（１２、１３）に関してある角度を成し、前記ある角度が、装着手段（３）を有する周縁部（１１）の第１角度値（α1）から、装着手段（３）を有する周縁部（１１）から離れる方向における、前記第１角度値より大きい第２角度値（α2）に増大される請求項１０又は１１に記載のボタン。
【請求項１３】
ボタン（１）の周縁部（１１ｂ）あるいはその付近に、胴部（１０）の第１縁部（１１ａ）位置の第１装着手段（３ｄ）に実質的に対向する第２装着手段（３ｅ）が更に設けられ、胴部（１０）の幅部分（ｗ）もまた、周縁部（１１ｂ）あるいはその付近の位置方向にテーパ付けされる請求項１〜１２の何れかに記載のボタン。
【請求項１４】
前記胴部が４つの側縁部セクション（１４ｃ、１４ｄ）を含み、第１側縁部セクション（１４ｃ）の２つが、第１縁部（１１ａ）位置の第１装着手段（３ｄ）方向に伸延され、第２側縁部セクション（１４ｄ）の２つが、第１縁部（１１ｂ）位置の第２装着手段（３ｅ）方向に伸延され、第１側縁部セクション（１４ｃ）位置及び、第１側縁部セクション（１４ｃ）と対向する第２側縁部セクション（１４ｄ）位置に少なくとも傾斜面（１３ａ、１２ａ）を含む請求項１０及び１３の何れかに記載のボタン。
【請求項１５】
２つの傾斜面（１２ａ、１３ａ）が、前記ライン（１００）を通過して伸延し且つ底面（１３）に直交する平面に関してミラー対称である請求項１４に記載のボタン。
【請求項１６】
例えば衣服である布地を止着するための、胴部（１０）を含むボタン（１ａ）であって、
例えば縫合によりボタン（１ａ）を布地に取り付ける構成を有する装着手段（２）が前記胴部（１０）の中央位置（５）に設けられ、
前記ボタン（１ａ）の胴部（１０）が、前記胴部（１０）の下面（１３）の平面と平行の平面内で前記装着手段を貫いて伸延するライン（１００）に直交する断面平面で見た場合に、上面（１２）及び下面（１３）の一方から他方の側縁部へと、高さが減少する状態下に伸延する傾斜面（１２ａ、１３ａ）を有するボタン。
【請求項１７】
前記胴部が、下面（１３）から上面（１２）の側縁部へと、高さが減少する状態下に伸延する第１傾斜面（１３ａ）と、上面（１２）から下面（１３）の対向する側縁部へと、高さが減少する状態下に伸延する第２傾斜面（１２ａ）とを有する請求項１６に記載のボタン。
【請求項１８】
断面で見た場合に第１及び第２の傾斜面（１２ａ、１３ａ）が、上面及び下面（１２、１３）の他方に関してある角度を成し、前記ある角度が、装着手段（３）を有する周縁部（１１）の第１角度値（α1）から、装着手段（３）を有する周縁部（１１）から離れる方向における、前記第１角度値より大きい第２角度値（α2）に増大される請求項１６又は１７に記載のボタン。
【請求項１９】
例えば衣服である布地を止着するための、胴部（１０ｂ）を含むボタン（１ｂ）であって、
例えば縫合によりボタン（１ｂ）を布地に取り付ける構成を有する装着手段（２ａ）が設けられ、前記ボタン（１ｂ）の胴部（１０ｂ）が、前記胴部（１０ｂ）の下面（１３）の平面と平行方向で見た場合に傾斜する幅部分（ｗ）を有し、
前記装着手段（２ａ）が中央位置（５）から前記ライン（１００）に沿って胴部（１０ｂ）の縁部（１１ａ、１１ｂ）に向けて可動であるボタン。
【請求項２０】
装着手段（２ａ）が、前記装着手段（２ａ）を中央位置（５）方向に偏倚させる偏倚手段（１５ａ、１５ｂ）を含む請求項１９に記載のボタン。
【請求項２１】
少なくとも部分的に布地から作製した、詳しくは衣服である製品（２０）であって、前記布地が、請求項１〜２０の何れかに従う少なくとも１つのボタンが設けられたものである製品。
【請求項２２】
長手方向に伸延され且つボタン（１）を受けるように構成されたスリット（２１）を更に含み、前記ボタン及び相当するスリット（２１）が、前記ボタンの胴部（５）の周縁部（１１）あるいはその付近の装着手段（３）がスリット（２１）の長手方向上にあるように配向される請求項２１に記載の製品。
【請求項２３】
周縁部（１１）あるいはその付近の装着手段（３）の位置でのボタン（１）と布地との間の距離が、ボタンの中心（５）部分におけるそれより短い請求項２１あるいは２２に記載の製品。
【請求項２４】
スリット（２１）には、ボタン外しを容易化するために前記スリットの一部を拡幅させる拡幅手段（２２、２２ａ、２２ｂ）が設けられる請求項２２及び２３の何れかに記載の製品。
【請求項２５】
少なくとも部分的に布地から作製した、詳しくは衣服である製品（２０）であって、前記布地には少なくとも１つのボタン（１）、前記ボタンを受ける少なくとも１つのスリット（２１）とが設けられ、スリット（２１）には、ボタン外しを容易化するために前記スリットの一部を拡幅させる拡幅手段（２２、２２ａ、２２ｂ）が設けられる製品。
【請求項２６】
前記拡幅手段が、スリット（２１）の長手方向軸に関してある角度下に伸延する少なくとも１つのスリット（２２ａ、２２ｂ）を含む請求項２４又は２５に記載の製品。
【請求項２７】
前記拡幅手段のスリット（２２ａ、２２ｂ）の長さが、主たるスリット（２１）の長さの５〜３０％の範囲の長さである請求項２６に記載の製品。
【請求項２８】
拡幅手段におけるスリット（２２ａ、２２ｂ）をその閉位置に偏倚させるよう前記拡幅手段（２２、２２ａ、２２ｂ）に関連付けされた弾性手段（２３ａ、２３ｂ）を更に含む請求項２４〜２７の何れかに記載の製品。
【発明の詳細な説明】
【技術分野】
【０００１】
本発明は、布地、例えば衣服を止着するボタンに関する。前記ボタンは胴部を含み且つ、例えば、前記ボタンを布地に縫合により取り付け得るように構成された装着手段が設けられる。本発明は更に、少なくとも部分的には布地から製造された、少なくとも１つのボタンを含む、例えば衣服である製品に関する。
【背景技術】
【０００２】
布地の各セクションを止着するそのようなボタンは既知のものであり且つ、例えば衣服用に広範に用いられている。ボタンは一般に平坦な胴部を有し、この胴部には、ボタンを布地に結合させる糸を受ける通し孔等の装着手段が設けられる。大抵のボタン胴部は円盤形状であるが異なる形状のボタンを利用できる。
【０００３】
ＪＰ２００２３３０８０２Ａの前提部には、その中央部付近に装着手段を有し且つ、この装着手段から遠い先端部位置で終端する傾斜された幅部分を備える胴部を有するボタンが記載される。
【０００４】
ＤＥ３７３２７Ｃは、その周縁部を相互錠止させて連飾を形成する複数のボタンに関するものである。このボタンには別のボタンのリングを受ける開口が設けられ、前記リングは連飾を形成するための糸を受ける構成を有する。
【０００５】
ＵＳ１２３２６３３Ａには、モーニングコートや燕尾服等の衣服の“へり”を、それらのへりを重ね合わせ、片方のへりに装着したボタンを他方のへりのボタンホールに止める代わりに、それらのへりに“リンク”される構成を有するボタンが記載される。このボタンには中央シャンク部が設けられ、この中央シャンク部は、衣服のボタンホールを通して挿入されるとボタンの縁部位置で衣服にクランプし得るように形成されると共に、ボタン自体の縁部付近に装着された可撓性のリンクを有し、このリンクは衣服の前記他方のへり上でボタンにループ掛けされるようになっている。
ＪＰ２００４１７３７３２Ａには、脚部と、装着手段を設けたベース部とを有する丸形又は円盤状胴部を持つボタンが記載される。
ＵＳ２５４３０５６Ａには、装着手段としての中央孔と、胴部の周囲縁部により近い入口開口とを設けたボタン平面を有する丸形胴部を有するボタンが記載される。
【０００６】
ボタンを、このボタンの形状を有するボタンホールに挿通させることで布地どうしが互いに結合される。
【先行技術文献】
【特許文献】
【０００７】
【特許文献１】ＪＰ２００２３３０８０２Ａ
【特許文献２】ＤＥ３７３２７Ｃ
【特許文献３】ＵＳ１２３２６３３Ａ
【特許文献４】ＪＰ２００４１７３７３２Ａ
【特許文献５】ＵＳ２５４３０５６Ａ
【発明の概要】
【発明が解決しようとする課題】
【０００８】
従って、解決しようとする課題は、中でも、手際よく外せて効率的な、使用が簡単なボタンを提供することである。
【課題を解決するための手段】
【０００９】
前記課題は請求項１に従うボタンにより解消される。詳しくは、本発明に従うボタンによれば、ボタンの胴部の周縁部あるいはその近辺に装着手段を設けたことを特徴とするボタンが提供される。ボタン止着状態で前記装着手段が布地の相手側のセクションのスリット形状のボタンホール上又はその付近に来るよう、ボタンをその縁部位置付近で布地に取り付けることで、ボタンを、２つの布地セクションを引き離すことで手際よく外すことができる。前記装着手段は、ボタンを引き外す動作の適用時にボタンをボタンホールを通して案内する。
【００１０】
ボタン縁部あるいはその付近の装着手段は、前記案内機能上、ボタン縁部を布地方向に部分的に配向又は偏向させる構成を有することが好ましい。前記装着手段は、ボタンの、特には半分を、ボタンホールを通して引き外し方向にボタンを案内する構成を有することが好ましい。前記装着手段はボタンの半分位置に伸延されるのが好ましい。
ボタン縁部の複数位置に沿って装着手段を設け得るが、装着手段をボタンの周縁部あるいはその付近の一カ所に設けることが好ましい。そうすればボタンは設計上簡単に外せる形状となる。
【００１１】
ボタンの胴部の中央位置には更に装着手段が設けられる。これらの中央の装着手段は、例えば、ボタンにおいて伝統的に使用されてきた結合手段に相当するものであり、複数の貫通孔あるいはシャンクを含み得る。この実施態様では、伝統的な装着手段がボタンの中央部内あるいはその周囲に、例えば一定パターンで位置付けられ、他方、ボタン縁部付近あるいは縁部位置の前記装着手段はボタン中央から半径方向外側に離れた、好ましくは一カ所に伸延される。
【００１２】
ボタンの胴部は、ボタン外し中にボタンをボタンホールを通してボタンを更に案内するための、装着手段方向に傾斜されたテーパ付け部分をその縁部付近に有することが好ましい。テーパ付け、即ち、幅及び又は高さ低減は、ここでは止着位置でのボタンの、スリット状ボタンホールの長手方向におけるものであることが好ましい。
【００１３】
詳しくは、ボタンの胴部は、この胴部の下面の平面と平行に見える方向で、縁部あるいはその付近の装着手段位置に向けてテーパ付けされた幅を有する。換言すれば、胴部の幅は、胴部の縁部あるいはその付近の装着手段に向けて減少される。伝統的なボタンは円盤形状であり、その外側縁部は円形であるが、本発明に従うボタンはテーパ付けされた外側縁部を有し、この外側縁部のテーパ付けセクションは以下に説明されるように実質的に直線的に伸延されることが好ましい。
【００１４】
ボタンの底部は一般に実質的に平坦面であることから、ボタンの幅はこの平坦面に関して形成される。しかしながら、より一般的にはボタンの胴部は高さ、幅及び長さを有し、高さは幅や長さより実質的に小さい。長さは胴部の縁部あるいはその付近の装着手段を貫いて伸延するラインに沿って形成される。幅は長さに直角方向に伸延する。
好ましい実施態様によればボタンの胴部は、この胴部の下面の平面に直角の方向で縁部あるいはその付近の装着手段位置に向けてテーパ付けされた、案内を更に改善するための高さ部分を有する。言い換えると、胴部のこの高さ部分は縁部付近の装着手段に向けて低くなって行く。
【００１５】
胴部が、縁部あるいはその付近の装着手段から胴部の中心までを伸延するラインに沿って測定される胴部長さの少なくとも半分、好ましくは半分以上に沿ってテーパ付けされれば案内は更に改善される。胴部が実質的に直線的あるいは平面的にテーパ付けされれば案内は更に良好化される。
ボタンは胴部を貫いて伸延する孔を使用して布地に効率的に装着され得る。従って、更に他の好ましい実施態様によれば、周縁部あるいはその付近の装着手段は、ボタンの胴部の上側表面と下面との間を伸延する少なくとも１つの貫通孔を含む。貫通孔は糸を受ける構成を有する。
【００１６】
胴部は、ボタンの縁部あるいはその付近に、隣り合って位置付けられた２つの貫通孔を含み得る。これによりボタンの縫い付けが容易化され得る。
しかしながら、胴部の周縁部あるいはその付近に単一の貫通孔を設けても良い。その場合は、ボタンを布地に取り付ける糸がこの貫通孔に通され且つボタンの外側縁部に沿ってループ掛けされる。これにより、ボタンを引張して外す間にボタンが引張方向のボタンホールをずっと効率的に貫いて送られるため、ボタン外し効率が更に向上する。
胴部の貫通孔付近の周縁部には、ボタンの外側縁部に沿わせた糸を見えにくくするための、前記上下の各側面間を延びる凹所が含まれ得る。前記凹所は糸を受けるように構成され、その構成上、好ましくは糸が凹所内に埋め込まれるような形状とされる。
【００１７】
本発明のボタンの他の好ましい実施態様では、周縁部あるいはその付近の装着手段は胴部を貫いて伸延する２つの端部を有する通路を含み、前記端部は胴部の下面及び又は周縁部に位置付けられる。本実施態様では上側表面は端部を含まず、かくして、縁部付近の装着手段は見えない又は非常に見えにくい。前記通路は適切に湾曲され得る。
本発明の他の好ましい実施態様では、胴部は、胴部の縁部あるいはその付近の装着手段及び胴部の中心を貫いて伸びるラインに直角の横断面で見た場合に、一方の表面から他方の表面の側縁部に向けて高さが低くなるように伸延する傾斜面を有する。この傾斜面により、ボタンは外される際にスリットを通して案内されるように回転動作する。他方の表面に関する傾斜面の角度は実質的に９０°より小さい、好ましくは４５°より小さい角度であることが好ましい。傾斜表面は好ましくはライン、特には長手方向軸から前記縁部方向に伸延され、より好ましくは側縁部及び前記ライン間の距離の少なくとも半分に沿って伸延される。
【００１８】
ボタン外しを更に容易化するには、第１表面から第２表面の側縁部に向けて高さが低くなるように伸延する第１傾斜面と、第２表面から第１表面の反対側の側縁部に向けて高さが低くなるように伸延する第２傾斜面とを有することが好ましい。この場合、ボタンは対向する２つの傾斜面を有する。断面の１点に沿って見た２つの前記表面の平面は実質的に平行に延びることが好ましい。換言すれば、前記表面が他方の表面に関して伸延する角度は実質的に同一であることが好ましい。ボタンを外そうとしてボタンを引っ張ると、前記２つの傾斜面がボタンに回転動作を誘起させてボタンをスリットに通し易くする。
【００１９】
横断面で見て、一方の表面が他方の表面に関してある角度を成し、この角度が装着手段の縁部付近の小さい第１値から装着装置の縁部から遠い方向のもっと大きい第２値に増大する場合にボタンがスムーズに外れる作用が得られる。追加的な装着手段付近の場所、即ち胴部の傾斜先端部位置における角度は小さく、例えば５〜１５°、好ましくは約１０°であり、この角度が前記傾斜先端位置から側縁部に沿った方向で、例えば４０〜５０°、好ましくは約４５°に増大される。ボタンをスリットを通して移動させるとボタンは角度が増大するに従い徐々に回転し、かくしてボタンは効率的に外され得る。
【００２０】
本発明に従うボタンは、ボタンを、胴部の幅の傾斜に従うボタン外し方向に引っ張ることで効率的に外され得る。しかしながら、対向する２方向に引張する間のボタン外しを容易化させるために、胴部の第１縁部位置の第１装着手段と実質的に対向する第２装着手段を周縁部あるいはその付近に更に設け、胴部の幅を前記縁部あるいはその付近の第２装着手段の位置に向けて傾斜させることも好ましい。これにより胴部は、好ましくはその中心と、縁部位置の２つの装着手段とを通して延びるラインに沿って見た場合に２つの方向にテーパ付けされる。これによりボタンは前記中心を通して延びる対称軸に関してミラー対称性を有することが好ましい。そのようなボタンはその胴部の形状自体に、ボタン外しを容易化する上で有益な効果があるため、追加的な装着手段を設けないようにしても良い。
【００２１】
先に記載されたように両方向への引っ張り時にボタン外しを容易化させる回転動作を誘起させるためには、傾斜、即ち、幅方向に傾斜する両端部に、回転動作を誘起する傾斜面を設けるのが好ましい。詳しくは、胴部が４つの側縁部セクションを含み、２つの第１側縁部セクションが第１縁部位置の第１装着手段方向に伸延され、２つの側縁部セクションが第１縁部位置の第２装着手段方向に伸延され、胴部の好ましくは対向する２つの側縁部セクション位置に傾斜面を含むことが好ましい。これにより胴部は少なくとも、第１側縁部セクションと、前記第１側縁部セクションと対向する第２側縁部セクション位置とにおいて傾斜面を含むものとなる。
【００２２】
２つの傾斜面が底面に直角な前記ラインを通して伸延する平面に関してミラー対称であればボタン外し作用は更に改善される。第１或いは第２側縁部の各々に傾斜面を設け、第１側縁部セクション位置の各傾斜面の平面が平行で且つ第２側縁部セクション位置の各傾斜面の平面が平行になるように配向させ得る。
【００２３】
傾斜面は、縁部あるいはその付近に追加的な装着装置を持たないボタン、あるいは下面の平面に傾斜する幅部分を有さないボタン、即ち、例えば、一般に使用されるような丸形ボタンでも使用され得る。これらのボタンは外す、特にはこれらボタンを収受するスリットを通してボタンを案内するのが困難な点が問題である。
【００２４】
従って、本発明によれば更に、布地、例えば衣服用のボタンであって、胴部を含み、前記胴部の中央位置には装着手段が設けられ、前記装着手段は、例えば縫合によりボタンを布地に装着させるような構成を有し、前記胴部が、胴部の下面の平面に平行な平面内の、前記装着手段を貫いて伸びるラインに直角な横断平面から見た場合に、一方の表面から他方の表面の側縁部方向に高さが低くなるように伸延する傾斜面を有し、前記傾斜面が、前記側縁部と前記ラインとの間の距離の少なくとも半分に沿って伸延されるボタンが提供される。前記傾斜面は胴部の回転動作を誘起させ、この回転動作が先に記載されたようにボタン外しを容易化させる。ボタンは丸形の、あるいは、例えば、テーパ付けされた幅部分を有する胴部を含み得、前記胴部は中心を貫いて伸びる前記ラインの方向にテーパ付けされる。胴部は、先に説明した理由から、第１表面から第２表面の側縁部方向に高さが低くなるように伸延する第１傾斜面と、前記第２表面から前記第１表面の対向する側縁部方向に高さが低くなるように伸延する第２傾斜面とを有するのがやはり好ましい。同じく先に説明した理由から、横断面で見た場合に、前記傾斜面が他方の表面に関してある角度を形成し、前記ある角度が、装着手段を設けた縁部付近における小さい第１値から前記装着手段を設けた縁部から離れる方向でもっと大きい第２値に増大することが好ましい。
【００２５】
本発明の他の実施態様によれば、ボタンを引っ張る力を加える際に対応するスリットを容易に通過し、かくして効率的に外せる、布地、例えば衣服を止着させるための使い易いボタンであって、胴部を含み、前記胴部が、例えば縫合によりボタンを衣服に装着するように構成された装着手段を備え、前記ボタンの前記胴部が、胴部の下面の平面に平行な方向から見てテーパ付け方向に沿って減少する傾斜する幅部分を有し、前記装着手段が、前記胴部の中心位置から前記ラインに沿った縁部方向に可動であるボタンが提供される。前記装着手段が縁部方向に可動であることから、ボタンはスリットを通して効率的に付勢され、かくして容易に外され得る。装着手段はボタンを外すために付加される引張力により可動であることが好ましい。装着手段は引張されると縁部方向にずれ、かくして前記縁部をスリット方向に付勢し且つ、更に引張されるとこのスリットを通してボタンを案内する。
【００２６】
装着手段は、例えばリング形状の部材構成を有し、好ましくは、ボタンの胴部の下面上あるいは下側表面に平行な平面内を可動であることが好ましい。前記下面には、装着手段を受け且つ案内するための、例えば、案内手段、例えば溝を設け得る。
【００２７】
装着手段は、この装着手段を中央位置方向に偏倚させる偏倚手段を含むことが好ましい。この偏倚手段により、装着手段は無負荷時は中央位置に伸延してボタンの偶発的な外れを防止し、引張力の付加時には縁部方向にずれる。引張力を解放すると装着手段はずれて中央位置に戻る。装着手段は、この装着手段を中央方向に偏倚させるための、例えばバネ形態の弾性手段を含むことが好ましい。糸を受ける、例えばリング形態の装着手段は、例えば、特にはバネ形態の偏倚手段を介して胴部内に結合される。装着手段は更に、糸を受けるためのバネ内に配置された穴形態のものであり得る。好ましくはバネ形態のものである偏倚手段は、溝形態の案内手段内に配置され得る。
【００２８】
更には本発明によれば、少なくとも部分的には布地から作製される、特には衣類である製品であって、前記布地には本発明に従う少なくとも１つのボタンが設けられる製品が提供される。
本発明の更に好ましい実施態様によれば、長手方向に伸延し且つボタンを受ける構成を有するスリットを含む製品であって、前記ボタン及び対応するスリットが、ボタンの胴部の周縁部あるいはその付近の装着装置が前記スリットの長手方向上を配向される製品が提供される。これにより、先に記載されたようにボタン外し作用が更に効率化される。
【００２９】
ボタン外しに際してボタンをボタンホール方向に更に配向させるため、更に好ましい実施態様では、縁部あるいはその付近の装着手段の位置におけるボタンと布地との間の距離が、ボタンの中央位置における前記距離より短い。
【００３０】
本発明の更に好ましい実施態様によれば、製品に設けたスリットを通してボタンを外す際のボタン用の通路を提供するために、前記スリットには、スリットの一部、例えばスリットの端部をボタンを容易に外せるよう拡幅する拡幅手段が設けられる。拡幅手段は、ボタン外し時にボタンがスリットを通過する位置に設けることが好ましい。拡幅手段は少なくとも１つのスリットを含むことが好ましい。好ましくは複数であるスリットは主たるスリットより狭幅であることが好ましい。拡幅手段のスリットの長さは、好ましくは主たるスリット長の５〜３０％、より好ましくは５〜１５％である。スリットは主たるスリットと整列して設け得るが、スリットの長手方向軸に関する角度下に拡幅手段に従い伸延させることが好ましい。これにより胴部の幅はスリットを通過し得るものとなる。
【００３１】
製品は、前記拡幅手段をその閉鎖位置に偏倚させるように前記拡幅手段に関連する、ボタンが誤って外れないようにする弾性手段を含むことが好ましい。拡幅手段は、ボタンを外す際にスリットを拡幅させてボタンが通過できるようにする構成を有する。前記拡幅手段に関連する、例えば、上述したようにスリット形態の弾性手段を設けることにより、スリットは弾性手段の偏倚力に抗して引張力が付加され、かくして主たるスリットを拡幅させるまで閉鎖状態に維持される。弾性手段は、例えば、前記拡幅手段を、例えばスリット形態で包囲する弾性の布地を含み得る。
【００３２】
拡幅手段を設けたボタン用のスリットを設けた製品は従来のボタンと共に使用できる。従って、本発明は製品、特には、少なくとも部分的には布地から作製された衣服であって、前記布地には少なくとも１つのボタンと、前記ボタンを受ける少なくとも１つのスリットとが設けられ、前記スリットには、ボタンを容易に外せるようにするための、スリットの一部、例えば端部を拡幅する拡幅手段を設けた製品が提供される。
【発明の効果】
【００３３】
手際よく外せて効率的な、使用が簡単なボタンが提供される。
【図面の簡単な説明】
【００３４】
【図１】図１は、ボタンの平面図である。
【図２】図２は、図１のボタンの側面図である。
【図３】図３は、他の実施態様におけるボタンの平面図である。
【図４】図４は、他の実施態様におけるボタンの平面図である。
【図５ａ】図５ａは、他の実施態様におけるボタンの平面図である。
【図５ｂ】図５ｂは、他の実施態様におけるボタンの平面図である。
【図６】図６は、他の実施態様の側面図である。
【図７】図７は、他の実施態様のボタンの底面図である。
【図８】図８はボタンの断面図である。
【図９】図９はボタンの断面図である。
【図１０】図１０は、他の実施態様のボタンの平面図である。
【図１１】図１１Ａは図１０に示すボタンの線Ａ−Ａに沿った断面図であり、図１１  Ｂは図１０に示すボタンの線Ｂ−Ｂに沿った断面図である。
【図１２】図１２は、図１のボタンに相当する平面図である。
【図１３】図１３Ａは、図１２のボタンの線Ａ−Ａに沿った断面図であり、図１３Ｂは、図１２のボタンの線Ｂ−Ｂに沿った断面図である。
【図１４】図１４は、異なる実施態様におけるスリットを設けた製品の概略図である。
【図１５】図１５は、異なる実施態様におけるスリットを設けた製品の概略図である。
【図１６】図１６は、異なる実施態様におけるスリットを設けた製品の概略図である。
【図１７】図１７は、本発明に従うボタンの他の実施態様の平面図である。
【図１８】図１８は、他の実施態様におけるボタンの底面図である。
【図１９】図１９は、図１８のボタンの線Ｃ−Ｃに沿った断面図である。
【図２０】図２０は、他の実施態様におけるボタンの概略底面図である。
【発明を実施するための形態】
【００３５】
本発明に従う、胴部１０により形成されたボタン１が図１に示される。胴部１０の中心５にはボタン１を布地に縫い付ける伝統的な４つの穴２が設けられる。ボタンの縁部１１付近には、図２に示されるように上側表面１２から下面１３へと胴部１０を貫いて伸延する追加孔３が設けられる。図２では追加孔３を設けた領域は番号６で示される。
【００３６】
図２では胴部１０は追加孔３を設けた縁部１１方向にテーパ付けされている。追加孔３の位置での胴部１０の高さは、番号４で示される反対側の位置でのそれより低い。胴部１０は胴部１０の長さｌの半分以上に沿ってテーパ付けされる。
【００３７】
長さｌは図１に示されるライン１００に沿って測定されたものであり、ボタン１の追加孔３を貫いて中心５まで伸延される。胴部１０の幅ｗもテーパ付けされる。胴部１０には２つの直線状セクション１４ａ及び１４ｂも設けられ、これらセクションもまた、ボタン１の長さｌの少なくとも半分に沿って伸延される。これにより、弓状セクション１５、２つの直線状セクション１４ａ及び１４ｂ、追加孔３付近の、図１１では番号１１で示される付近の弓状セクション、により外縁部１１が形成される。胴部１０のこの形状により、ボタンホールを通しての案内が向上され得、ボタンは図示が容易化される。
【００３８】
図３ではボタン１は追加孔３を布地に装着するための糸７を有している。孔２にも好適な糸を設けることは言うまでもない。ボタン１には縁部領域に単一の孔３のみが設けられることから、糸７のループはあ外縁部１１に沿って伸延される。図４に示す本実施態様の縁部１１には、糸が縁部１１内に埋め込まれるように糸を受ける凹所８が設けられる。
【００３９】
図５ａ及び図５ｂに示されるような別態様では胴部１０にはボタン１を布地に止着させるための２つの追加孔３を設け得る。図５ａでは孔３は胴部１０の幅方向に隣り合って伸延され、他方、図５ｂの実施態様では孔３は胴部１０の長手方向沿いに隣り合って伸延される。
本発明に従うボタン１の追加的結合部を隠すため、図６に示すように縁部１１に湾曲通路３ａを設け得る。通路３ａは、上面１２からは通路３ａを通して延びる糸が見えにくくなるように、縁部１１を形成する表面間を伸延される。
図７に示されるような別態様では通路３ｂが下面１３との間に伸延され、通路３ｂの両端部は下面１３上に位置付けられる。通路３ｂもやはり好適に湾曲される。
【００４０】
図８にはボタン１の、図１の線１００に直交する、図８では平面１００ａとして示される平面に沿った断面が示される。図示されるように、ボタン表面１３にはテーパ付けされた、即ち、側縁部１４ａ方向に高さｈが低くなる傾斜面１３ａが設けられる。傾斜面１３ａは縁部表面を形成し、この縁部表面は下面１３に対して約４５°の角度αを成す。上面１２は実質的に平坦に延在される。傾斜面１３ａは下面１３の平面から実質的に上面１２の平面方向にテーパ付けされる。この例では傾斜面１３ａはライン１００付近の位置から前記側縁部１４ａ方向に伸延される。しかしながら、高さが低いボタンでは傾斜面１３ａは、仮に約４５°の角度で伸延される場合はライン１００までは伸延されない。傾斜面１３ａはボタン外し時に回転動作を誘起させ、それがボタン外しをずっと容易化させる。
【００４１】
他方の側縁部１４ｂは、図８に示されるように通常の縁部１４ｂであり、慣例的に多少丸味付けされ得る。しかしながら、回転動作を更に向上させるために、この他方の側縁部１４ｂにも前記傾斜面１３ａとは逆向きにテーパ付けした傾斜面１２ａを設けるのが好ましい。実際、図９に示されるように、上面１２にも、下面１３の平面の側縁部１４ｂに向けて上面１２から下方に伸延する傾斜面１２ａが設けられる。傾斜面１２ａも、断面で見て上面１２のほぼ半分をカバーする。
【００４２】
図１０に示されるようなボタン１は、ライン１００に沿って任意の方向に引っ張ることで容易に外され得る。胴部には２つの傾斜端部、即ち、追加の装着手段３ｄを有する傾斜端部１１ａと、追加の装着手段３ｅを有する傾斜端部１１ｂとが設けられる。ボタンは、少なくとも平面図で見て、やはりライン１００を貫いて伸延する平面１０１に沿ってミラー対称である。ボタン１は，ボタン１の外縁部を形成する、テーパ付けされた４つの側縁部１４ｃ、１４ｄを含む。図１０の線Ａに沿った断面を示す図１１Ａに示されるように、左側縁部１４ｃには、図８に示されるような表面に類似する傾斜面１３ａが設けられる。傾斜面１３ａは上面１２の平面から下面１３の平面に向けて伸延される。図１１Ａに示されるような右側縁部１４ｃに、図１０の線Ａに沿った断面が図９に示されるような断面に相当するように、図９に番号１２ａで示されるような傾斜面をも設け得る。
図１０では下方、即ち、平面１０１の反対側に示される、ボタンの下側の右側縁部１４ｄの、上面１２位置には少なくとも傾斜面１２ａが設けられる。随意的には左側縁部１４ｄにも傾斜面１３ａを設け得る。
【００４３】
図１２に示されるようなボタン１が図１に示されるようなボタン１に相当する図１２及び１３を参照して傾斜面１３ａの形状が説明される。図１３Ａには図１２の線Ａに沿ったライン１００に直交する断面、即ち、追加の装着手段３を有する縁部又はポイントから遠い位置での断面が示される。前記位置において傾斜面１３ａの角度は、縁部１１付近の位置Ｂにおけるその角度α1より大きい４５°の角度α2である。従って、上面１２に関して延びる傾斜面１３ａの角度は縁部１１方向に減少される。これにより、ボタンを外す際にボタンの円滑な回転動作が誘起され、ボタンは容易に外される。上面１２位置に設けられた傾斜面１２ａも類持構成を有し得る。
【００４４】
図８、９、１３に示されるような傾斜面を、図１７に示すような丸形ボタン等のその他の周囲形状を有するボタンでも使用できる。第１側縁部セクション１４ａには、例えば、図９に示されるような傾斜面１３ａに類似の第１傾斜面１３ａを設け得、中心５を貫いて伸延する平面１００ａに関して反対側の第２側縁部セクション１４ｂには、図９に示されるような傾斜面１２ａを設け得る。ボタンの縁部１１位置には装着手段３を設け得、又は設け得ない。
【００４５】
図１４〜１６を参照するに、製品２０、特には衣服片が示され、ボタンを受けるスリット２１が設けられている。このスリットは、以下に説明されるように、特には先の図面、あるいは図１８及び１９の何れかに示されたような任意のボタンと共に好適に作用するが、伝統的形状のボタンと共にも使用できる。
スリット２１には、ボタン外しに際してボタンを通し易くする追加のスリット２２ａ及び２２ｂが設けられ、これら追加スリットは製品に引張力が加わる、及び又はボタンがスリット２１に入ると開放する。スリット２２ａ、２２ｂが、スリット２１の長手方向軸に関して直交してスリット２１の両側に伸延される。
【００４６】
次いでスリット２２ａ、２２ｂは、図１４に矢印で示される方向に開き、ボタンの通路面積を増大させる。ボタンが誤って外れるのを防止するため、スリット２１の両側でスリット２２ａ、２２ｂの裏側に弾性シート２３ａ及び２３ｂが配置される。弾性シート２３ａ及び２３ｂは、外側周囲部分及びスリット２２ａ、２２ｂの周囲部分に沿った縫合ライン２４で縫い付けられる。弾性シート２３ａ、２３ｂはスリット２２ａ、２２ｂを互いに近づくように偏倚、即ち図１４に矢印で示される方向とは逆方向に偏倚させる。縫合ライン２４をスリットを任意のポイント位置で横断させないことが好ましい。
【００４７】
図１５の製品２０は、スリット２１の両端部に拡幅手段が設けられ、各拡幅手段が、スリット２１の長手方向軸に関してある角度で伸延するずっと短い２つのスリット２２ａ及び２２ｂの形態のものである点で、図１４に示される製品とは異なる。各スリット２２ａ、２２ｂはやはり、ボタンが誤って外れないようにするために製品２０に縫合ライン２４で縫い付けられた弾性シート２３により裏当てされる。本実施態様は特に、弾性シート２３無しで使用するためにも好適である。その場合、スリット２２ａ、２２ｂの長さは主たるスリット２１の長さの５〜１５％の範囲であることが好ましい。
追加のスリット２２ａ及び２２ｂはスリットの長手方向軸に関してある角度下に伸延される必要は無い。図１６に示されるように、スリット２２ａ、２２ｂは主たるスリット２１の端部位置に設けられ、この主たるスリット２１と同一方向、即ち、主たるスリットの、例えば水平又は垂直である方向に依存して伸延される。やはり弾性シート２３が設けられる。
【００４８】
ボタンを容易に外せるようにボタンの中心５の位置に、中央の装着手段に加えて設けられる装着手段３に代えて、図１８及び１９に示されるように、ボタン１ｂの胴部１０ｂに関して可動の装着手段２１を設け得る。図１９ではボタン１ｂが線Ｃに沿った断面図で示される。
装着手段は、特に図１９に示されるようにリング形状を有し、ボタン１ｂの下面１３に設けた溝１６に受けられ、且つボタン１ｂの長手方向１００に沿ってスライドするように構成された突起２１が設けられる。
【００４９】
装着手段２ａは、長手方向軸１００上で対向する端部の端部１１ａ、１１ｂ付近にバネ１５ａ及び１５ｂで連結される。バネ１５ａ及び１５ｂは、装着手段を中心５に向けて偏倚させる。単一のバネを使用しても良く、その場合は装着手段はこのバネの中央セクションに連結される。ボタン１ｂの胴部１０ｂは、図１０の実施態様と同様に２度、更に傾斜される。
ボタンを外す力を加えると、装着手段２ａは、引張力の方向に依存するＡ又はＢで示される方向に移動され、かくして、装着手段はボタン１ｂの胴部１０ｂの端部１１ａ、１１ｂあるいはその付近の位置に移動される。ボタン１ｂはこの位置で、ボタン外しを容易化するスリットに容易に案内される。ボタン１ｂが外されるとバネ１５ａ、１５ｂは装着手段２ａを初期の、即ち中央位置方向に押し返す。
【００５０】
図２０には可動の装着手段２ａの別態様が示される。本図ではボタンの胴部１０ｂの底部の一部が示され、リング形状の部材２ｂがバネ１５の中央セクションに装着されている。バネ１５は、図１８に示されるように傾斜端部１１ａ及び１１ｂであり得る端部１１ａ及び１１ｂを通るライン１００上の相対距離位置間に伸延される。バネ１５は、このバネ１５が胴部１０ｂ内に埋め込まれ、他方、リング２ｂに通した糸にボタンが連結され得るように、図１９に示されるような溝１６と類似の溝内に配置される。この場合でも、バネは装着手段の動きを許容し、他方、装着手段２ｂはその初期の、即ち中央位置方向に偏倚される。
以上、本発明を実施例を参照して説明したが、本発明の内で種々の変更をなし得ることを理解されたい。
【符号の説明】
【００５１】
１  ボタン
１ｂ  ボタン
２ａ  装着手段
２ｂ  リング／装着手段
３  装着手段／追加孔
３ａ  湾曲通路／通路
３ｄ  装着手段
３ｅ  装着手段
５  中心
８  凹所
１０  胴部
１０ｂ  胴部
１１  外縁部／縁部
１１ａ  端部／傾斜端部
１１ｂ  端部／傾斜端部
１２  上面
１２ａ  傾斜面
１３  下面/ボタン表面
１３ａ  傾斜面/第１傾斜面
１４ａ  直線状セクション／第１側縁部セクション
１４ｂ  側縁部／第２側縁部セクション
１４ｃ  側縁部/左側縁部/右側縁部
１４ｄ  右側縁部/左側縁部
１５  弓状セクション
１５ａ  バネ
１５ｂ  バネ
１６  溝
２０  製品
２１  スリット／装着手段／突起
２２ａ  スリット
２３  弾性シート
２３ａ  弾性シート
２４  縫合ライン
１００  ライン／線／長手方向
１００ａ  平面  
１０１  平面
【図１】
2016518210.tif 000003
【図２】
2016518210.tif 000004
【図３】
2016518210.tif 000005
【図４】
2016518210.tif 000006
【図５Ａ】
2016518210.tif 000007
【図５Ｂ】
2016518210.tif 000008
【図６】
2016518210.tif 000009
【図７】
2016518210.tif 000010
【図８】
2016518210.tif 000011
【図９】
2016518210.tif 000012
【図１０】
2016518210.tif 000013
【図１１】
2016518210.tif 000014
【図１２】
2016518210.tif 000015
【図１３】
2016518210.tif 000016
【図１４】
2016518210.tif 000017
【図１５】
2016518210.tif 000018
【図１６】
2016518210.tif 000019
【図１７】
2016518210.tif 000020
【図１８】
2016518210.tif 000021
【図１９】
2016518210.tif 000022
【図２０】
2016518210.tif 000023
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
例えば衣服である布地を止着するための、胴部（１０）を含むボタン（１）であって、
例えば縫合によりボタン（１）を布地に取り付ける構成を有する装着手段（２）が前記胴部（１０）の中央位置（５）に設けられ、
前記ボタン（１）の胴部（１０）が、前記胴部（１０）の下面（１３）の平面と平行方向で見た場合に傾斜する幅部分（ｗ）を有し、
前記ボタン（１）の、前記胴部（１０）の周縁部（１１）あるいはその付近に装着手段（３）が更に設けられ、前記胴部（１０）の前記幅部分（ｗ）が前記周縁部（１１）あるいはその付近で前記装着手段（３）の位置（６）に向けてテーパ付けされることを特徴とするボタン。
【請求項２】
ボタン（１）の、前記周縁部（１１）あるいはその付近の単一の位置（６）に装着手段（３）が設けられる請求項１に記載のボタン。
【請求項３】
ボタン（１）の胴部（１０）が、前記胴部（１０）の下面（１３）の平面に直交する方向から見た場合に周縁部（１１）あるいはその付近の装着手段（３）の位置（６）の方向に傾斜する高さ（ｈ）を有する請求項１又は２に記載のボタン。
【請求項４】
ボタン（１）が胴部（１０）の長さ（ｌ）の少なくとも半分、好ましくは半分以上に沿ってテーパ付けされ、前記長さ（ｌ）が、胴部（１０）の周縁部（１１）及び中心（５）あるいはその付近の装着手段（３）を貫いて伸延するライン（１００）に沿って測定された長さである請求項１、２又は３に記載のボタン。
【請求項５】
胴部（１０）が、実質的に直線状又は平面上にテーパ付けされる請求項１〜４の何れかに記載のボタン。
【請求項６】
周縁部（１１）あるいはその付近の装着手段（３）が、ボタン（１）の胴部（１０）の上面（１２）及び下面（１３）間を伸延する少なくとも１つの貫通孔を含む請求項１〜５の何れかに記載のボタン。
【請求項７】
胴部（１０）の、周縁部（１１）あるいはその付近に単一の貫通孔が設けられる請求項６に記載のボタン。
【請求項８】
胴部（１０）の、貫通孔付近の周縁部（１１）に、上面（１２）及び下面（１３）間を伸延する凹所（８）を含む請求項７に記載のボタン。
【請求項９】
周縁部（１１）あるいはその付近の装着手段（３）が、胴部を貫いて伸延する２つの端部（３ａ、３ｂ）を有する通路を含み、前記２つの端部（３ａ、３ｂ）が、胴部（１０）の下面（１３）及び又は周縁部（１１）位置に位置付けられる請求項１〜５の何れかに記載のボタン。
【請求項１０】
ライン（１００）に直交する断面で見た場合に、胴部（１０）の周縁部（１１）あるいはその付近及び中心（５）を装着手段（３）が貫いて伸延され、前記胴部（１０）が、上
面（１２）及び下面（１３）の一方から他方の側縁部方向に高さが減少する状態下に伸延される傾斜面（１２ａ、１３ａ）を有する請求項１〜９の何れかに記載のボタン。
【請求項１１】
前記胴部が、第１表面（１３）から第２表面（１２）の側縁部方向へと、高さが減少する状態下に伸延する第１傾斜面（１３ａ）と、第２表面（１２）から第１表面（１３）の対向する周縁部方向へと、高さが減少する状態下に伸延する第２傾斜面（１２ａ）とを有する請求項１０に記載のボタン。
【請求項１２】
断面で見た場合に前記第１傾斜面（１３ａ）及び第２傾斜面（１２ａ）が、他方の表面（１２、１３）に関してある角度を成し、前記ある角度が、装着手段（３）を有する周縁部（１１）の第１角度値（α1）から、装着手段（３）を有する周縁部（１１）から離れる方向における、前記第１角度値より大きい第２角度値（α2）に増大される請求項１０又は１１に記載のボタン。
【請求項１３】
ボタン（１）の周縁部（１１ｂ）あるいはその付近に、胴部（１０）の第１縁部（１１ａ）位置の第１装着手段（３ｄ）に実質的に対向する第２装着手段（３ｅ）が更に設けられ、胴部（１０）の幅部分（ｗ）もまた、周縁部（１１ｂ）あるいはその付近の位置方向にテーパ付けされる請求項１〜１２の何れかに記載のボタン。
【請求項１４】
前記胴部が４つの側縁部セクション（１４ｃ、１４ｄ）を含み、第１側縁部セクション（１４ｃ）の２つが、第１縁部（１１ａ）位置の第１装着手段（３ｄ）方向に伸延され、第２側縁部セクション（１４ｄ）の２つが、第１縁部（１１ｂ）位置の第２装着手段（３ｅ）方向に伸延され、第１側縁部セクション（１４ｃ）位置及び、第１側縁部セクション（１４ｃ）と対向する第２側縁部セクション（１４ｄ）位置に少なくとも傾斜面（１３ａ、１２ａ）を含む請求項１０及び１３の何れかに記載のボタン。
【請求項１５】
２つの傾斜面（１２ａ、１３ａ）が、前記ライン（１００）を通過して伸延し且つ底面（１３）に直交する平面に関してミラー対称である請求項１４に記載のボタン。
【請求項１６】
例えば衣服である布地を止着するための、胴部（１０）を含むボタン（１ａ）であって、
例えば縫合によりボタン（１ａ）を布地に取り付ける構成を有する装着手段（２）が前記胴部（１０）の中央位置（５）に設けられ、
前記ボタン（１ａ）の胴部（１０）が、前記胴部（１０）の下面（１３）の平面と平行の平面内で前記装着手段を貫いて伸延するライン（１００）に直交する断面平面で見た場合に、上面（１２）及び下面（１３）の一方から他方の側縁部へと、高さが減少する状態下に伸延する傾斜面（１２ａ、１３ａ）を有するボタン。
【請求項１７】
前記胴部が、下面（１３）から上面（１２）の側縁部へと、高さが減少する状態下に伸延する第１傾斜面（１３ａ）と、上面（１２）から下面（１３）の対向する側縁部へと、高さが減少する状態下に伸延する第２傾斜面（１２ａ）とを有する請求項１６に記載のボタン。
【請求項１８】
断面で見た場合に第１及び第２の傾斜面（１２ａ、１３ａ）が、上面及び下面（１２、１３）の他方に関してある角度を成し、前記ある角度が、装着手段（３）を有する周縁部（１１）の第１角度値（α1）から、装着手段（３）を有する周縁部（１１）から離れる方向における、前記第１角度値より大きい第２角度値（α2）に増大される請求項１６又は１７に記載のボタン。
【請求項１９】
例えば衣服である布地を止着するための、胴部（１０ｂ）を含むボタン（１ｂ）であって、
例えば縫合によりボタン（１ｂ）を布地に取り付ける構成を有する装着手段（２ａ）が設けられ、前記ボタン（１ｂ）の胴部（１０ｂ）が、前記胴部（１０ｂ）の下面（１３）の平面と平行方向で見た場合に傾斜する幅部分（ｗ）を有し、
前記装着手段（２ａ）が中央位置（５）から前記ライン（１００）に沿って胴部（１０ｂ）の縁部（１１ａ、１１ｂ）に向けて可動であるボタン。
【請求項２０】
装着手段（２ａ）が、前記装着手段（２ａ）を中央位置（５）方向に偏倚させる偏倚手段（１５ａ、１５ｂ）を含む請求項１９に記載のボタン。
【請求項２１】
少なくとも部分的に布地から作製した、詳しくは衣服である製品（２０）であって、前記布地が、請求項１〜２０の何れかに従う少なくとも１つのボタンが設けられたものである製品。
【請求項２２】
長手方向に伸延され且つボタン（１）を受けるように構成されたスリット（２１）を更に含み、前記ボタン及び相当するスリット（２１）が、前記ボタンの胴部（５）の周縁部（１１）あるいはその付近の装着手段（３）がスリット（２１）の長手方向上にあるように配向される請求項２１に記載の製品。
【請求項２３】
周縁部（１１）あるいはその付近の装着手段（３）の位置でのボタン（１）と布地との間の距離が、ボタンの中心（５）部分におけるそれより短い請求項２１あるいは２２に記載の製品。
【請求項２４】
スリット（２１）には、ボタン外しを容易化するために前記スリットの一部を拡幅させる拡幅手段（２２、２２ａ、２２ｂ）が設けられ、前記拡幅手段が少なくとも１つの追加のスリット（２２ａ、２２ｂ）を有し、
拡幅手段（２２、２２ａ、２２ｂ）に関連付けされた弾性手段を更に含み、前記弾性手段が、前記拡幅手段におけるスリット（２２ａ、２２ｂ）をその閉位置に偏倚させるよう拡幅手段（２２、２２ａ、２２ｂ）の裏側に配置された弾性布地（２３ａ、２３ｂ）を含む請求項２２又は２３に記載の製品。
【請求項２５】
少なくとも部分的には布地から作製された衣服における製品（２０）であって、
少なくとも１つのボタンと、前記ボタンを受ける少なくとも１つのスリット（２１）が設けられ、
スリット（２１）には、前記ボタンを容易に外せるようにスリット（２１）の一部を拡幅させる拡幅手段（２２、２２ａ、２２ｂ）としての少なくとも１つの追加のスリット（２２ａ、２２ｂ）が設けられ、
拡幅手段（２２、２２ａ、２２ｂ）に関連付けされた弾性手段を更に含み、前記弾性手段が、前記拡幅手段におけるスリット（２２ａ、２２ｂ）をその閉位置に偏倚させるよう拡幅手段（２２、２２ａ、２２ｂ）の裏側に配置された弾性布地（２３ａ、２３ｂ）を含むことを特徴とする製品。
【請求項２６】
追加のスリット（２２ａ、２２ｂ）が、スリット（２１）の長手方向軸に関してある角度下に伸延する請求項２４又は２５に記載の製品。
【請求項２７】
前記弾性手段が、前記追加のスリットの裏側に配置された少なくとも１つの弾性シートを含む請求項２４、２５又は２６に記載の製品。
【請求項２８】
弾性シート（２３ａ、２３ｂ）が前記追加のスリットの外周及び周囲に沿って縫合される請求項２７に記載の製品。
【請求項２９】
前記拡幅手段の追加のスリット（２２ａ、２２ｂ）の長さが、主たるスリット（２１）の長さの５〜３０％の範囲の長さである請求項２４〜２８の何れかに記載の製品。
【国際調査報告】
2016518210.tif 000024
2016518210.tif 000025
2016518210.tif 000026
2016518210.tif 000027
2016518210.tif 000028